(57)【要約】      （修正有）【課題】ヒートポンプ給湯用熱交換器で生成した湯の給湯中に蒸発器の除霜運転を行っても、湯切れの発生を抑制して給湯することができるヒートポンプ給湯装置を提供する。【解決手段】冷媒回路、貯湯槽７，給湯回路、給湯制御回路２１とを備えたヒートポンプ給湯装置において、蒸発器４の温度を検出した温度センサ２２の信号から蒸発器４の着霜を検知し開閉弁６を制御して除霜する除霜制御回路２３と、貯湯槽７内の湯温を検出した温度センサ１５，１６，１７の信号から貯湯槽７の残湯量を検知する残湯量検知回路１８とを設けて、蒸発器４の着霜時に残湯量が所定値以下の場合は所定時間遅延させて蒸発器４の除霜を行う。【選択図】図１
2005090842.tif 000002
【特許請求の範囲】
【請求項１】
圧縮機，給湯用熱交換器，減圧器，蒸発器を環状に接続して冷媒を流す冷媒回路と、給水した水を前記給湯用熱交換器で冷媒と熱交換させて生成した湯を貯湯する貯湯槽，当該貯湯槽に貯湯された湯と前記給水用熱交換器で生成した湯と直接給水した水とを混合する混合手段を有して給湯する給湯回路と、所定の給湯温度及び給湯量を得るように前記混合手段の混合比率を制御する給湯制御手段とを備えるヒートポンプ給湯装置であって、前記蒸発器の着霜を検知する着霜検知手段と、着霜を検知すると前記蒸発器の除霜を行う除霜手段と、前記貯湯槽に貯湯した湯の残湯量を検知する残湯量検知手段とを有し、前記給湯制御手段では、着霜を検知した場合に前記残湯量が所定値以下の場合は所定時間遅延させて除霜運転を行うことを特徴とするヒートポンプ給湯装置。
【請求項２】
前記給湯制御手段では、除霜運転を所定時間遅延させている期間中に、前記残湯量が所定値以上になったことを検出すると、前記所定時間を短縮して除霜運転を行うことを特徴とする請求項１に記載のヒートポンプ給湯装置。
【請求項３】
圧縮機，給湯用熱交換器，減圧器，蒸発器を環状に接続して冷媒を流す冷媒回路と、給水した水を前記給湯用熱交換器で冷媒と熱交換させて生成した湯を貯湯する貯湯槽，当該貯湯槽に貯湯された湯と前記給水用熱交換器で生成した湯と直接給水した水とを混合する混合手段を有して給湯する給湯回路と、所定の給湯温度及び給湯量を得るように前記混合手段の混合比率を制御する給湯制御手段とを備えるヒートポンプ給湯装置であって、前記蒸発器の着霜を検知する着霜検知手段と、着霜を検知すると前記蒸発器の除霜を行う除霜手段と、前記貯湯槽に貯湯した湯の残湯量を検知する残湯量検知手段と、前記残湯量検知手段により検知した残湯量に対応した遅延時間を設定する遅延時間設定手段とを有し、前記給湯制御手段では、着霜を検知した場合は前記遅延時間設定手段により設定した前記遅延時間経過後に除霜運転を行うことを特徴とするヒートポンプ給湯装置。
【請求項４】
前記給湯制御手段では、除霜運転を前記遅延時間遅延させている期間中に、前記残湯量が所定値以上となったことを検出すると、前記遅延時間を短縮して除霜運転を行うことを特徴とする請求項３に記載のヒートポンプ給湯装置。
【請求項５】
前記給湯制御手段では、除霜運転を遅延させている期間中は、前記給湯制御手段により前記給湯量を所定値以下に制御することを特徴とする請求項１から請求項４のいずれかに記載のヒートポンプ給湯装置。
【請求項６】
前記冷媒として二酸化炭素を用い、前記冷媒回路の高圧側を超臨界圧の状態で運転することを特徴とする請求項１から請求項５のいずれかに記載のヒートポンプ給湯装置。
【発明の詳細な説明】
【技術分野】
【０００１】
本発明は、ヒートポンプサイクルを利用して湯を生成し、生成した湯を貯湯槽に貯湯せずにそのまま出湯することが可能な瞬間湯沸し型のヒートポンプ給湯装置に関するものである。
【背景技術】
【０００２】
ヒートポンプサイクルを利用した給湯装置においては、外気温度や運転状況によって蒸発器に着霜が生じるため、着霜を検知して除霜運転を行っている。
そして、特許文献１に示された従来技術のヒートポンプ給湯装置は、貯湯タンクを備えてこの貯湯タンクに予め貯湯した湯を利用する貯湯型のヒートポンプ給湯装置であり、ヒートポンプサイクルを運転して貯湯槽に貯湯している時に、貯湯完了直前に着霜を検知して除霜運転に切り替えると貯湯完了が遅れるので、これを防止するために、貯湯が完了していない場合に除霜運転が要求されると、貯湯槽の水の加熱残量を検出し、加熱残量が所定量以下であれば所定時間除霜運転の要求をマスクして、貯湯運転を優先している。
即ち、図４のフローチャートに示すように、冷媒回路が運転開始されることにより貯湯が開始される（ステップ４１）。そして、貯湯が完了したか否かの判断を行い（ステップ４２）、完了した場合には次の貯湯運転に備えて除霜運転を行った（ステップ４３）後、貯湯運転を終了する（ステップ４４）。一方、貯湯が完了しない場合には除霜要求（着霜）の有無を判断する（ステップ４５）。このとき除霜運転が要求されると、加熱残量が所定量以下であるか否かの判断が行われる（ステップ４６）。もし所定量以下であった場合は、所定時間だけ除霜運転の要求をマスクし、貯湯を優先的に行う加熱優先モードに入って、タイマーをスタートさせて当該加熱優先モードを所定時間行い（ステップ４８）、その後除霜運転が行われる（ステップ４７）。
【特許文献１】特開２００１−２５５００３号公報
【発明の開示】
【発明が解決しようとする課題】
【０００３】
しかしながら、上記従来の構成は貯湯型のヒートポンプ給湯装置を対象としたものであり、生成した湯を貯湯槽に貯湯せずにそのまま出湯することが可能な瞬間湯沸し型のヒートポンプ給湯装置においては、ヒートポンプを運転して生成した湯の給湯中に着霜を検知してそのまま除霜運転を行うと、湯切れが発生する場合があるという課題を有していた。
【０００４】
本発明はこのような従来の課題を解決するものであり、瞬間湯沸し型のヒートポンプ給湯装置において、湯切れの発生を抑制するヒートポンプ給湯装置を提供することを目的とする。
【課題を解決するための手段】
【０００５】
請求項１記載の本発明のヒートポンプ給湯装置は、圧縮機，給湯用熱交換器，減圧器，蒸発器を環状に接続して冷媒を流す冷媒回路と、給水した水を前記給湯用熱交換器で冷媒と熱交換させて生成した湯を貯湯する貯湯槽，当該貯湯槽に貯湯された湯と前記給水用熱交換器で生成した湯と直接給水した水とを混合する混合手段を有して給湯する給湯回路と、所定の給湯温度及び給湯量を得るように前記混合手段の混合比率を制御する給湯制御手段とを備えるヒートポンプ給湯装置であって、前記蒸発器の着霜を検知する着霜検知手段と、着霜を検知すると前記蒸発器の除霜を行う除霜手段と、前記貯湯槽に貯湯した湯の残湯量を検知する残湯量検知手段とを有し、前記給湯制御手段では、着霜を検知した場合に前記残湯量が所定値以下の場合は所定時間遅延させて除霜運転を行うことを特徴とする。
請求項２記載の本発明は、請求項１に記載のヒートポンプ給湯装置において、前記給湯制御手段では、除霜運転を所定時間遅延させている期間中に、前記残湯量が所定値以上になったことを検出すると、前記所定時間を短縮して除霜運転を行うことを特徴とする。
請求項３記載の本発明のヒートポンプ給湯装置は、圧縮機，給湯用熱交換器，減圧器，蒸発器を環状に接続して冷媒を流す冷媒回路と、給水した水を前記給湯用熱交換器で冷媒と熱交換させて生成した湯を貯湯する貯湯槽，当該貯湯槽に貯湯された湯と前記給水用熱交換器で生成した湯と直接給水した水とを混合する混合手段を有して給湯する給湯回路と、所定の給湯温度及び給湯量を得るように前記混合手段の混合比率を制御する給湯制御手段とを備えるヒートポンプ給湯装置であって、前記蒸発器の着霜を検知する着霜検知手段と、着霜を検知すると前記蒸発器の除霜を行う除霜手段と、前記貯湯槽に貯湯した湯の残湯量を検知する残湯量検知手段と、前記残湯量検知手段により検知した残湯量に対応した遅延時間を設定する遅延時間設定手段とを有し、前記給湯制御手段では、着霜を検知した場合は前記遅延時間設定手段により設定した前記遅延時間経過後に除霜運転を行うことを特徴とする。
請求項４記載の本発明は、請求項３に記載のヒートポンプ給湯装置において、前記給湯制御手段では、除霜運転を前記遅延時間遅延させている期間中に、前記残湯量が所定値以上となったことを検出すると、前記遅延時間を短縮して除霜運転を行うことを特徴とする。
請求項５記載の本発明は、請求項１から請求項４のいずれかに記載のヒートポンプ給湯装置において、前記給湯制御手段では、除霜運転を遅延させている期間中は、前記給湯制御手段により前記給湯量を所定値以下に制御することを特徴とする。
請求項６記載の本発明は、請求項１から請求項５のいずれかに記載のヒートポンプ給湯装置において、前記冷媒として二酸化炭素を用い、前記冷媒回路の高圧側を超臨界圧の状態で運転することを特徴とする。
【発明の効果】
【０００６】
本発明は、給湯中に蒸発器の着霜を検知しても貯湯槽の残湯量が少ない場合は除霜運転に入るのを遅延することで、湯切れの発生を抑制することができる。また、蒸発器の除霜を所定時間遅延させている期間中に残湯量が所定値以上となったことを検出すると、所定時間を短縮して除霜手段により蒸発器の除霜を行うことで、湯切れの発生を抑制しつつ除霜運転を行うことができる。
さらに、着霜検知手段により着霜を検知した場合は遅延時間設定手段により設定した遅延時間経過後に蒸発器の除霜を行うことで、適切な遅延時間を設定し、湯切れの発生を高い精度で抑制しつつ除霜運転を行うことができる。
【発明を実施するための最良の形態】
【０００７】
本発明の第１の実施の形態によるヒートポンプ給湯装置は、蒸発器の着霜を検知する着霜検知手段と、着霜を検知すると蒸発器の除霜を行う除霜手段と、貯湯槽に貯湯した湯の残湯量を検知する残湯量検知手段とを有し、給湯制御手段では、着霜を検知した場合に残湯量が所定値以下の場合は所定時間遅延させて除霜運転を行うものである。本実施の形態によれば、給湯中に蒸発器の着霜を検知しても貯湯槽の残湯量が少ない場合は、除霜運転に入るのを遅延することで、湯切れの発生を抑制することができる。
本発明の第２の実施の形態は、第１の実施の形態によるヒートポンプ給湯装置において、給湯制御手段では、除霜運転を所定時間遅延させている期間中に、残湯量が所定値以上になったことを検出すると、所定時間を短縮して除霜運転を行うものである。本実施の形態によれば、湯切れの発生を抑制しつつ除霜運転を行うことができる。
本発明の第３の実施の形態によるヒートポンプ給湯装置は、蒸発器の着霜を検知する着霜検知手段と、着霜を検知すると蒸発器の除霜を行う除霜手段と、貯湯槽に貯湯した湯の残湯量を検知する残湯量検知手段と、残湯量検知手段により検知した残湯量に対応した遅延時間を設定する遅延時間設定手段とを有し、前記給湯制御手段では、着霜を検知した場合は遅延時間設定手段により設定した遅延時間経過後に除霜運転を行うものである。本実施の形態によれば、給湯中に蒸発器の着霜を検知して貯湯槽の残湯量が少ない場合に除霜運転に移る際の、その遅延時間を適切に設定して遅延除霜することによって、湯切れの発生を高い精度で抑制しつつ除霜運転を行うことができる。
本発明の第４の実施の形態は、第３の実施の形態によるヒートポンプ給湯装置において、前記給湯制御手段では、除霜運転を遅延時間遅延させている期間中に、残湯量が所定値以上となったことを検出すると、遅延時間を短縮して除霜運転を行うものである。本実施の形態によれば、無駄に遅延させることを防止し、湯切れの発生を抑制しつつ早めに除霜運転を行うことができる。
本発明の第５の実施の形態は、第１から第４の実施の形態によるヒートポンプ給湯装置において、前記給湯制御手段では、除霜運転を遅延させている期間中は、給湯制御手段により給湯量を所定値以下に制御するものである。本実施の形態によれば、ヒートポンプの給湯能力が着霜により低下し、且つ貯湯槽の残湯量が少ない状態でも、湯切れの発生を抑制しつつ給湯を行うことができる。
本発明の第６の実施の形態は、第１から第５の実施の形態によるヒートポンプ給湯装置において、冷媒として二酸化炭素を用い、冷媒回路の高圧側を超臨界圧の状態で運転するものである。本実施の形態によれば、高温の湯を生成することができるので、貯湯槽を小型にすることができる。
【実施例１】
【０００８】
第１の実施例におけるヒートポンプ給湯装置について説明する。図１は、本発明による第１の実施例のヒートポンプ給湯装置を示す回路構成図である。
本実施例のヒートポンプ給湯装置は、冷媒回路と、給湯回路と、給湯制御手段とを含み構成される。冷媒回路は、冷媒を圧縮する圧縮機１，冷媒を凝縮させてこの凝縮熱で水を加熱する給湯用熱交換器２，冷媒を減圧する減圧器３，冷媒を蒸発させる蒸発器４を環状に接続して形成したヒートポンプ回路と、蒸発器４の除霜を行うためのバイパス回路５及びこのバイパス回路５に設けた開閉弁６とから構成される。なお、この冷媒回路に冷媒として二酸化炭素を適量封入し、高圧側が超臨界圧の状態となるように運転する。
一方、給湯回路は、例えば水道から給水した水を給湯用熱交換器２で冷媒と熱交換させて生成した湯を貯湯する貯湯槽７と、この貯湯槽７に貯湯された湯と給水用熱交換器２で生成した湯とを比率可変で混合する第１混合弁８と、この第１混合弁８を通過した湯と直接給水した水とを比率可変で混合する第２混合弁９と、給水量を制御する制御弁１０と、流路中の水の逆流を防ぐ逆止弁１１，１２と、貯湯槽７に高温の湯を貯湯するための容量可変水ポンプ１３及び開閉弁１４とから構成される。
また、給湯制御手段は、貯湯槽７の残湯量を検知するための温度センサ１５〜１７と、これらの温度センサ１５〜１７の温度信号を受けて残湯量を判断して残湯量信号を送出する残湯量検知回路１８と、利用側の給湯量を検知する流量センサ１９と、給湯温度を検出する温度センサ２０と、この流量センサ１９の流量信号を受けて温度センサ２０で検出する給湯温度が所定の温度になるように第１混合弁８及び第２混合弁９の混合比率を制御する給湯制御回路２１と、蒸発器４の温度を検出する温度センサ２２と、この温度センサ２２の温度信号を受けて蒸発器４の着霜を判断してバイパス回路５の開閉弁６を開いて蒸発器４の除霜を行う除霜制御回路２３と、制御フローに従ってヒートポンプ給湯装置全体の制御を行う主制御装置２４とから構成される。
【０００９】
次に、このヒートポンプ給湯装置の動作について説明する。まず、貯湯槽７に貯湯する貯湯運転について説明する。
貯湯運転時には、主制御装置２４は、給湯回路の第１混合弁８及び第２混合弁９の流路を閉に、開閉弁１４を開にして、容量可変水ポンプ１３をオンにする。また、冷媒回路の圧縮機１をオンにする。これにより貯湯槽７の最下部の水は、容量可変水ポンプ１３より給湯用熱交換器２に流入して冷媒と熱交換して高温の湯となり、開閉弁１４を経て最上部より貯湯槽７に流入する。この時、貯湯槽７へ流入する高温の湯が所定の温度になるように、温度センサ等（図示せず）で流入する湯の温度を検知して、容量可変水ポンプ１３の容量を変化させる。
本実施例では、８０℃の湯を生成するとすれば、貯湯槽７の中の水は、上部から下部へと８０℃の湯に置き換えられる。そして、下部に配設した温度センサ１５が８０℃になると、残湯量検知回路１８が貯湯完了と判断して信号を送出し、主制御装置２４が容量可変水ポンプ１３と圧縮機１をオフにする。
【００１０】
続いて給湯運転について説明する。利用側のカラン２５などが開かれると、流量センサ１９が給湯開始を検知し、給湯制御回路２１が主制御装置２４に給湯開始の信号を送出し、主制御装置２４が圧縮機１をオンに、容量可変水ポンプ１３をオフに、開閉弁１４を閉にする。そして、給湯制御回路２１が流量センサ１９と温度センサ２０の信号を受けて、給湯温度が所定の温度になるように第１混合弁８と第２混合弁９の各流路の開度を制御する。
この時の給湯回路を流れる水は、水道より給水されて制御弁１０を通過して分岐し、一方は逆止弁１１を経て第２混合弁９へ流入し、他方は貯湯槽７の下部から逆止弁１２を経て給湯用熱交換器２に流入する。そして、給湯用熱交換器２で冷媒と熱交換して中温（例えば４５℃程度）の湯となって、第１混合弁８へ流入する。また、貯湯槽７に貯湯された高温（例えば８０℃程度）の湯は、前述の下部を通過する水に押されて第１混合弁８に流入する。したがって、温度センサ２０で検知する温度が所定の温度（例えば４２℃）になるように、第１混合弁８で高温の湯と中温の湯とを比率可変で混合し、さらに第２混合弁９でこの混合した湯と水道より直接給水した低温の水とを比率可変で混合し、所定の給湯温度を得る給湯制御が行われる。
【００１１】
次に、給湯運転時に温度センサ２２が蒸発器４の着霜を検知した場合の制御について、図２を用いて説明する。図２は、図１に示すヒートポンプ給湯装置の給湯制御を示すフローチャートである。
同図に示すように、カラン２５が開かれると、流量センサ１９が給湯量を検知して給湯制御回路２１が給湯の開始を判断する（ステップ１）と、主制御装置２４が圧縮機１をオンにして給湯運転を開始する（ステップ２）。給湯運転中に蒸発器４の温度を温度センサ２２が検知し除霜制御回路２３が着霜であると判断する（ステップ３）と、次に貯湯槽７内に所定量以上の残湯量があるかどうかを残湯量検知回路１８が判断する（ステップ４）。
除霜運転中は、給湯用熱交換器２で中温の湯を生成することができず、その間は貯湯槽７からの高温の湯をより多く使用することになる。したがって、この場合でも湯切れしない十分な残湯量を実験等により定める必要がある。本実施例では、中間部に配設した温度センサ１６で検知する貯湯槽７内の湯温Ｔ１が８０℃以上であれば（ステップ４）、中間部より上部の貯湯槽内には、８０℃以上の湯が貯湯されており、十分な残湯量が確保されていると判断して、除霜制御回路２３が開閉弁６を開いて除霜運転を行う（ステップ５）。
一方、Ｔ１が８０℃未満であれば（ステップ４）、除霜運転中に湯切れを生じる恐れがあるため、タイマーのカウントを開始し（ステップ６）、給湯量を絞って所定量以下になるように、給湯制御回路２１が第１混合弁８及び第２混合弁９を制御する（ステップ７）。なお、ステップ７の給湯量制御を省く構成であっても良い。
そして、タイマーのカウント開始からの時間τが所定時間τ１を超えたと判断したならば（ステップ８）、除霜運転に移行する（ステップ５）。また、タイマーのカウント時間τが所定時間τ１経過するまでは、流量検知を行って給湯の継続を確認し、除霜運転に移行するのを遅延して給湯運転を継続する（ステップ８及びステップ９を繰り返す）。さらに、τがτ１になる前に、流量センサ１９がカラン２５の閉止を検知して給湯が終了したと判断する（ステップ９）と、そのまま貯湯運転に移行する（ステップ１０）。
そして、貯湯運転中にτがτ１になったと判断する（ステップ１１）と、除霜運転に移行する（ステップ５）。また、貯湯運転中は、τがτ１になる（ステップ１１）前であっても、温度センサ１６で検知する貯湯槽７内の湯温Ｔ１が８０℃以上であれば（ステップ１２）、除霜運転中にカランが開いて給湯が開始されても湯切れを発生させないだけの残湯量が確保されるため、所定時間を短縮して除霜運転に移行する（ステップ５）。さらに、τがτ１になる前であって、湯温Ｔ１が８０℃未満であれば、貯湯運転を継続する（ステップ１１及びステップ１２を繰り返す）。
【００１２】
このように本発明の第１の実施例では、給湯中に蒸発器の着霜を検知しても貯湯槽の残湯量が少ない場合は除霜運転に入るのを遅延することで、湯切れの発生を抑制することができる。また、蒸発器の除霜を所定時間遅延させている期間中に残湯量が所定値以上となったことを検出すると、所定時間を短縮して除霜手段により蒸発器の除霜を行うことで、湯切れの発生を抑制しつつ除霜運転を行うこともできる。
【実施例２】
【００１３】
次に、第２の実施例におけるヒートポンプ給湯装置について説明する。本実施例のヒートポンプ給湯装置の構成は、図１に示す第１の実施例の構成と同一であるので説明を省略する。そして、本実施例のヒートポンプ給湯装置の動作については、第１の実施例と異なる点を取り上げて、すなわち給湯運転時に温度センサ２２が蒸発器４の着霜を検知した場合の制御について、図３を用いて説明する。図３は、本発明による第２の実施例のヒートポンプ給湯装置の給湯制御を示すフローチャートである。
同図に示すように、カラン２５が開かれると流量センサ１９が流量を検知して（ステップ２１）、給湯運転を開始する（ステップ２２）。給湯運転中に蒸発器４の着霜を検知すると（ステップ２３）、次に貯湯槽７内の残湯量に対応して、除霜運転に移行するのを遅延する遅延時間τ１を設定する（ステップ２４）。
除霜運転中は、給湯用熱交換器２で中温の湯を生成することができず、その間は貯湯槽７からの高温の湯をより多く使用することになる。したがって、湯切れを極力避けることができるように、残湯量に応じてτ１を実験等により定める。
【００１４】
本実施例では、中間部に配設した温度センサ１６と、上部に配設した温度センサ１７とを用いて残湯量の大小を判断してτ１を定める。即ち、温度センサ１６で検知する貯湯槽７内の湯温Ｔ１が８０℃以上であれば、中間部より上部には８０℃以上の湯が貯湯されており、十分な残湯量が確保されているとし、τ１＝０と設定する（ステップ２４）。そして、時間τ＝τ１＝０であり、時間τは所定時間τ１であると判断し（ステップ２７）、直ちに除霜運転を行う（ステップ２８）。
一方、Ｔ１が８０℃未満かつ温度センサ１７で検知する湯温Ｔ２が、Ｔ２≧８０℃であれば、τ１＝ａと設定し、Ｔ２＜８０℃であれば、τ１＝ｂ（ｂ＞ａ＞０）と設定する（ステップ２４）。そしてタイマーのカウントを開始し（ステップ２５）、給湯制御回路２１により給湯量を絞って所定量以下になるように、第１混合弁８及び第２混合弁９を制御する（ステップ２６）。なお、ステップ２６の絞り制御を省く構成であっても良い。
次に、タイマーのカウント時間τが所定時間τ１を超えたと判断したならば（ステップ２７）、除霜運転に移行する（ステップ２８）。また、タイマーのカウント時間τが設定された遅延時間τ１経過するまでは、除霜運転に移行するのを遅延して給湯運転を継続する（ステップ２７及びステップ２９を繰り返す）。
さらに、τがτ１になる前に、流量センサ１９がカラン２５の閉止を検知して給湯が終了したと判断する（ステップ２９）と、そのまま貯湯運転に移行する（ステップ３０）。
そして、貯湯運転中にτがτ１になったと判断する（ステップ３１）と、除霜運転に移行する（ステップ２８）。また、貯湯運転中は、τがτ１になる前であっても、温度センサ１６で検知する貯湯槽７内の湯温Ｔ１が８０℃以上であれば（ステップ３２）、除霜運転を行っている間も湯切れを発生させないだけの残湯量が確保されるため、遅延時間を短縮して除霜運転に移行する（ステップ２８）。さらに、τがτ１になる前であって、湯温Ｔ１が８０℃未満であれば、貯湯運転を継続する（ステップ３１及びステップ３２を繰り返す）。
【００１５】
このように本発明の第２の実施例では、着霜検知手段により着霜を検知した場合は遅延時間設定手段により設定した遅延時間経過後に蒸発器の除霜を行うことで、適切な遅延時間を設定し、湯切れの発生を高い精度で抑制しつつ除霜運転を行うことができる。
【００１６】
なお、上記実施例では、冷媒として二酸化炭素を使った場合を説明したが、Ｒ４１０Ａ冷媒やＨＣ冷媒等のその他の冷媒を用いてもよい。
【産業上の利用可能性】
【００１７】
以上のように、本発明は、ヒートポンプサイクルを利用して湯を生成し、生成した湯を貯湯槽に貯湯せずにそのまま出湯するヒートポンプ給湯装置に適用され、例えば、家庭用の瞬間湯沸し器などに適している。
【図面の簡単な説明】
【００１８】
【図１】本発明による第１の実施例のヒートポンプ給湯装置を示す回路構成図
【図２】図１に示すヒートポンプ給湯装置の給湯制御を示すフローチャート
【図３】本発明による第２の実施例のヒートポンプ給湯装置の給湯制御を示すフローチャート
【図４】従来のヒートポンプ給湯装置の給湯制御を示すフローチャート
【符号の説明】
【００１９】
１    圧縮機
２    給湯用熱交換器
３    減圧器
４    蒸発器
５    バイパス回路
６，１４  開閉弁
７    貯湯槽
８    第１混合弁
９    第２混合弁
１０    制御弁
１１，１２  逆止弁
１３    容量可変水ポンプ
１５，１６，１７，２０，２２  温度センサ
１８    残湯量検知回路
１９    流量センサ
２１    給湯制御回路
２３    除霜制御回路
２４    主制御装置
２５    カラン
【図１】
2005090842.tif 000003
【図２】
2005090842.tif 000004
【図３】
2005090842.tif 000005
【図４】
2005090842.tif 000006